(57)【特許請求の範囲】
【請求項１】
特定の状況を検知する検知手段と、
前記検知手段で特定の状況を検知した場合に、前記特定の状況に対処するための特定の処理を行う処理手段と、
複数の撮影モードのうち所定の撮影モードにおいて前記特定の処理を行うか否かをユーザ操作に基づいて設定する設定手段と、
前記所定の撮影モードである場合は、前記特定の状況を検知したときに、前記特定の状況を検知したことを通知し、前記所定の撮影モードでない場合は、前記特定の状況になったとしても、前記特定の状況を通知しないように制御する制御手段と、を備え、
前記特定の状況は照明によるフリッカーの発生であり、
前記特定の処理は、フリッカーレス撮影処理であることを特徴とする撮像装置。
【請求項２】
特定の状況を検知する検知手段と、
前記検知手段で特定の状況を検知した場合に、前記特定の状況に対処するための特定の処理を行う処理手段と、
複数の撮影モードのうち所定の撮影モードにおいて前記特定の処理を行うか否かをユーザ操作に基づいて設定する設定手段と、
前記所定の撮影モードである場合は、前記特定の状況を検知したときに、前記特定の状況を検知したことを通知し、前記所定の撮影モードでない場合は、前記特定の状況になったとしても、前記特定の状況を通知しないように制御する制御手段と、を備え、
前記所定の撮影モードでない撮影モードにおいては前記特定の処理を行うことが予め設定されおり、前記設定手段により前記特定の処理を行わない設定に変更できないことを特徴とする撮像装置。
【請求項３】
特定の状況を検知する検知手段と、
前記検知手段で特定の状況を検知した場合に、前記特定の状況に対処するための特定の処理を行う処理手段と、
複数の撮影モードのうち所定の撮影モードにおいて前記特定の処理を行うか否かをユーザ操作に基づいて設定する設定手段と、
前記所定の撮影モードである場合は、前記特定の状況を検知したときに、前記特定の状況を検知したことを通知し、前記所定の撮影モードでない場合は、前記特定の状況になったとしても、前記特定の状況を通知しないように制御する制御手段と、を備え、
前記所定の撮影モード以外の撮影モードには、自動的にシャッタースピードと絞り値が設定されるモードが含まれることを特徴とする撮像装置。
【請求項４】
特定の状況を検知する検知手段と、
前記検知手段で特定の状況を検知した場合に、前記特定の状況に対処するための特定の処理を行う処理手段と、
複数の撮影モードのうち所定の撮影モードにおいて前記特定の処理を行うか否かをユーザ操作に基づいて設定する設定手段と、
前記所定の撮影モードである場合は、前記特定の状況を検知したときに、前記特定の状況を検知したことを通知し、前記所定の撮影モードでない場合は、前記特定の状況になったとしても、前記特定の状況を通知しないように制御する制御手段と、を備え、
前記制御手段は、前記所定の撮影モードでない場合は、前記特定の状況になったとしても、前記特定の状況を通知せずに、前記処理手段により前記特定の処理を実行するように制御することを特徴とする撮像装置。
【請求項５】
前記特定の状況は照明によるフリッカーの発生であり、
前記特定の処理は、フリッカーレス撮影処理であることを特徴とする請求項２乃至４のいずれか１項に記載の撮像装置。
【請求項６】
前記検知手段は、シャッタースピードと光量データの周期とから、フリッカーの発生を検知することを特徴とする請求項１又は５に記載の撮像装置。
【請求項７】
前記フリッカーレス撮影では、シャッターボタンの半押しに応じて前記検知手段によるフリッカーの検知処理を開始することを特徴とする請求項１又は５に記載の撮像装置。
【請求項８】
前記フリッカーレス撮影では、シャッターボタンの全押しがあると、フリッカーによる光量の変化率の最も少ないピークの位置で撮影処理の動作を開始することを特徴とする請求項１又は５に記載の撮像装置。
【請求項９】
前記所定の撮影モードでない撮影モードにおいては前記特定の処理を行うことが予め設定されおり、前記設定手段により前記特定の処理を行わない設定に変更できないことを特徴とする請求項１、３、４のいずれか１項に記載の撮像装置。
【請求項１０】
前記所定の撮影モード以外の撮影モードには、自動的にシャッタースピードと絞り値が設定されるモードが含まれることを特徴とする請求項１、２、４のいずれか１項に記載の撮像装置。
【請求項１１】
前記制御手段は、前記所定の撮影モードでない場合は、前記特定の状況になったとしても、前記特定の状況を通知せずに、前記処理手段により前記特定の処理を実行するように制御することを特徴とする請求項１乃至３のいずれか１項に記載の撮像装置。
【請求項１２】
前記制御手段は、前記特定の状況を検知したこと通知するときに、前記設定手段によって前記特定の処理を行うと設定されているか否かに応じて異なる通知を行うことを特徴とする請求項１乃至３のいずれか１項に記載の撮像装置。
【請求項１３】
前記所定の撮影モードには、ユーザが設定したシャッタースピードに応じて自動的に絞り値が設定されるシャッター優先モード、ユーザが設定した絞り値に応じて自動的にシャッタースピードが設定される絞り優先モード、及びユーザがシャッタースピード及び絞り値を設定するマニュアルモードの少なくとも１つが含まれることを特徴とする請求項１乃至４のいずれか１項に記載の撮像装置。
【請求項１４】
前記制御手段は、前記特定の状況を検知したことを通知する場合、ファインダ内の表示部に前記特定の状況を検知したことを示す表示を行うように制御することを特徴とする請求項１乃至４のいずれか１項に記載の撮像装置。
【請求項１５】
照明によるフリッカーの発生を検知する検知手段と、
前記検知手段でフリッカーの発生を検知した場合に、前記フリッカーの発生に対処するためのフリッカーレス撮影処理を行う処理手段と、
複数の撮影モードのうち所定の撮影モードにおいて前記フリッカーレス撮影処理を行うか否かをユーザ操作に基づいて設定する設定手段とを備えた撮像装置の制御方法であって、
前記所定の撮影モードである場合は、前記フリッカーの発生を検知したときに、前記フリッカーの発生を検知したことを通知し、前記所定の撮影モードでない場合は、前記フリッカーの発生になったとしても、前記フリッカーの発生を通知しないように制御することを特徴とする撮像装置の制御方法。
【請求項１６】
照明によるフリッカーの発生を検知する検知手段と、
前記検知手段でフリッカーの発生を検知した場合に、前記フリッカーの発生に対処するためのフリッカーレス撮影処理を行う処理手段と、
複数の撮影モードのうち所定の撮影モードにおいて前記フリッカーレス撮影処理を行うか否かをユーザ操作に基づいて設定する設定手段とを備えた撮像装置を制御するためのプログラムであって、
前記所定の撮影モードである場合は、前記フリッカーの発生を検知したときに、前記フリッカーの発生を検知したことを通知し、前記所定の撮影モードでない場合は、前記フリッカーの発生になったとしても、前記フリッカーの発生を通知しないように制御する処理をコンピュータに実行させるためのプログラム。
【発明の詳細な説明】
【技術分野】
【０００１】
本発明は、特定の状況を検知したときに、そのことを通知する機能を有する撮像装置、その制御方法及びプログラムに関する。
【背景技術】
【０００２】
従来、デジタルカメラやカメラ付き携帯電話端末等の撮像装置では、ユーザが意図した通りに撮影できないような状況や、本来の性能を出せないような状況を検知すると、ユーザに通知を行うことにより注意を促すことがある。例えば撮影の際に手ブレを検知したときに、必要に応じてカメラのファインダー内やその近傍において、ユーザに警告を行う提案がなされている（参考文献１参照）。
【先行技術文献】
【特許文献】
【０００３】
【特許文献１】特開２００３−１４０２２０号公報
【発明の概要】
【発明が解決しようとする課題】
【０００４】
しかしながら、特許文献１では、所定の撮影モードで手ブレのような特定の状況を検知する設定がユーザ操作により有効であれば、その特定の状況を検知して警告を通知するが、所定の撮影モード以外で前記設定がユーザ操作によらず常に有効な場合、前記特定の状況を検知すると警告が通知されてしまうため、その通知の意味を知らないユーザに不安感を与えてしまうおそれがある。
さらに、手ブレを検知すると手ブレを防止する処理を行うといった、特定の状況を検知するとその状況に対処する機能がカメラに備わっているとき、特定の状況を検知するか否かの設定がユーザ操作によらず常に有効な場合に特定の状況を検知して通知を行うと、ユーザは通知を受けても特定の状況に対処する必要がなく、意味のない通知となってしまう。
【０００５】
本発明は上記のような点に鑑みてなされたものであり、ユーザの不安を軽減し、また、無駄な通知を行わないようにすることを目的とする。
【課題を解決するための手段】
【０００６】
本発明の撮像装置は、特定の状況を検知する検知手段と、前記検知手段で特定の状況を検知した場合に、前記特定の状況に対処するための特定の処理を行う処理手段と、複数の撮影モードのうち所定の撮影モードにおいて前記特定の処理を行うか否かをユーザ操作に基づいて設定する設定手段と、前記所定の撮影モードである場合は、前記特定の状況を検知したときに、前記特定の状況を検知したことを通知し、前記所定の撮影モードでない場合は、前記特定の状況になったとしても、前記特定の状況を通知しないように制御する制御手段と、を備え、前記特定の状況は照明によるフリッカーの発生であり、前記特定の処理は、フリッカーレス撮影処理であることを特徴とする。
【発明の効果】
【０００７】
本発明によれば、特定の状況を検知した場合に特定の処理を行うか否かをユーザ操作に基づいて設定することのできる所定の撮影モードである場合は、前記特定の状況を検知したときに、前記特定の状況を検知したことを通知し、前記所定の撮影モードでない場合は、前記特定の状況を検知したときにも、前記特定の状況を検知したことを通知しないようにしたので、ユーザの不安を軽減し、また、無駄な通知を行わないようにすることができる。
【図面の簡単な説明】
【０００８】
【図１】実施形態に係るデジタルカメラの外観図である。
【図２】実施形態に係るデジタルカメラの構成例を示すブロック図である。
【図３】実施形態に係るデジタルカメラのモードダイアルを示す図である。
【図４】本実施形態における応用撮影ゾーンでのフリッカーレス撮影の動作モード設定処理の流れを示すフローチャートである。
【図５】フリッカーレス撮影の動作モード設定画面の例を示す図である。
【図６】フリッカーを検知したときの通知処理及び撮影の流れを示すフローチャートである。
【図７】ファインダー内表示部の表示例を示す図である。
【発明を実施するための形態】
【０００９】
以下、添付図面を参照して、本発明の好適な実施形態について説明する。
図１は、本発明を適用した撮像装置の一例としての実施形態に係るデジタルカメラ１００の外観図である。表示部１１１は、画像や各種情報を表示する表示部である。ファインダー１２４は、被写体を観察するためのファインダーである。ファインダー内表示部１２５は、ファインダー１２４内に各種情報を表示する表示部である。シャッターボタン１１６は、撮影指示を行うための操作部である。モードダイアル１１７は、各種モードを切り替えるための操作部である。メインダイアル５０、カーソルキー８０、ＳＥＴキー９０は、ユーザからの操作を受け付ける操作部材である。
【００１０】
図２は、本実施形態に係るデジタルカメラ１００の構成例を示すブロック図である。
撮影レンズ１０４は、ズームレンズ、フォーカスレンズを含むレンズ群である。シャッター１０５は、絞り機能を備えるシャッターである。撮像部１０６は、光学像を電気信号に変換するＣＣＤやＣＭＯＳ素子等で構成される撮像素子を含む。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１１】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２は、撮像した画像データを用いて所定の演算処理を行い、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２は更に、撮像した画像データを用いて所定の演算処理を行い、得られた演算結果に基づいてＴＴＬ方式のＡＷＢ（オートホワイトバランス）処理も行う。
【００１２】
Ａ／Ｄ変換器１０７からの出力データは、画像処理部１０２及びメモリ制御部１０８を介して、又は、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像及び音声を格納するのに十分な記憶容量を備える。また、メモリ１０９は、画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データは、Ｄ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７により一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行える。
【００１３】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいうプログラムとは、本実施形態にて後述する各種フローチャートを実行するためのプログラムのことである。
システム制御部１０１は、デジタルカメラ１００全体を制御する。システム制御部１０１は、不揮発性メモリ１１４に記録されたプログラムを実行することで、本実施形態にて後述する各処理を実現する。
システムメモリ１１３は、例えばＲＡＭが用いられる。システムメモリ１１３には、システム制御部１０１の動作用の定数、変数、不揮発性メモリ１１４から読み出したプログラム等を展開する。また、システム制御部１０１は、メモリ１０９、Ｄ／Ａ変換器１１０、表示部１１１等を制御することにより表示制御も行う。
システムタイマー１１２は、各種制御に用いる時間や、内蔵された時計の時間を計測する計時部である。
【００１４】
モードダイアル１１７、第１シャッタースイッチ１１６ａ、第２シャッタースイッチ１１６ｂは、システム制御部１０１に各種の動作指示を入力するための操作手段である。モードダイアル１１７は、システム制御部１０１の動作モードを静止画記録モード、動画記録モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイアル１１７で、静止画撮影モードに含まれるこれらのモードのいずれかに直接切り替えられる。或いは、モードダイアル１１７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ１１６ａは、シャッターボタン１１６の操作途中、いわゆる半押し（撮影準備指示）でＯＮとなり、第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。操作部１１５の各操作部材は、表示部１１１に表示される種々の機能アイコンを選択操作すること等により、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えばメニューボタンが押されると、各種の設定可能なメニュー画面が表示部１１１に表示される。ユーザは、表示部１１１に表示されたメニュー画面と、上下左右のカーソルキー８０やＳＥＴキー９０とを用いて直感的に各種設定を行うことができる。
【００１５】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部に供給する。
電源部１２０は、アルカリ電池やリチウム電池等の一次電池やＮｉＣｄ電池やＮｉＭＨ電池、Ｌｉ電池等の二次電池、ＡＣアダプター等からなる。
記録媒体Ｉ/Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００１６】
フリッカー検知部１２１は、シャッタースピードと当該光量データの周期からフリッカーの発生を検知する。
本実施形態に係るデジタルカメラ１００では、フリッカー検知機能を用いたフリッカーレス撮影を行うことが可能である。フリッカーとは、蛍光灯を光源として早いシャッタースピードで撮影した場合に、カメラの設定が同じでも撮影した写真の色、明るさにバラツキが発生してしまう現象のことである。
フリッカー検知機能について説明する。システム制御部１０１は、フリッカー光源の光量データをフリッカー検知部１２１に送る。システム制御部１０１の制御下で、フリッカー検知部１２１は、シャッタースピードと当該光量データの周期からフリッカーの発生を検知する。
フリッカーレス撮影について説明する。システム制御部１０１は、第１シャッタースイッチ信号ＳＷ１により、フリッカー検知部１２１がフリッカー検知処理の動作を開始するように制御する。システム制御部１０１は、第２シャッタースイッチ信号ＳＷ２により、フリッカー検知部１２１により算出された光量の変化率の最も少ないピークの位置で撮影処理の動作を開始する。このようにフリッカー検知を行うことで、フリッカーが発生しないタイミングで撮影を行うことが可能である。
【００１７】
以下、図３〜図５を参照して、本実施形態に係るデジタルカメラ１００の動作を説明する。
図３は、モードダイアル１１７を示す図である。
２００は応用撮影ゾーンであり、プログラムＡＥモード「Ｐ」、シャッター優先ＡＥモード「Ｔｖ」、絞り優先ＡＥモード「Ａｖ」、マニュアル露出モード「Ｍ」が設定されている。応用撮影ゾーン２００に描かれたモードマークのいずれかをモード指標マーク２０２に合わせるようにモードダイアル１１７を回転させることにより、そのモードマークに対応する撮影モードが設定される。
プログラムＡＥモード「Ｐ」では、シャッターボタン１１６を半押しすると、デジタルカメラ１００が自動的にシャッター速度や絞り値を決定する。ユーザは、メインダイアル５０を操作することでプログラムシフトを行うことができる。シャッター優先ＡＥモード「Ｔｖ」では、ユーザがメインダイアル５０でシャッタースピードを設定すると、被写体の明るさに応じてデジタルカメラ１００がシャッタースピードを自動的に設定する。マニュアル露出モード「Ｍ」では、ユーザがシャッタースピードや絞り値を決めて撮影することができる。
これら応用撮影ゾーン２００の撮影モードでは、フリッカーレス撮影を行うか否かの動作モードを設定することが可能である。
フリッカーレス撮影は、前述したようにフリッカー光量の変化率の最も少ないピークの位置で撮影を行うよう制御することにより、フリッカーが発生しないタイミングで撮影を行うことができる。しかしながら、フリッカー検知を行うため、レリーズタイムラグが発生することがある。また、フリッカーの波長に合わせて撮影を行うため、連続撮影時のコマ速が低下することがある。
これらのことから、応用撮影ゾーン２００の撮影モードでは、ユーザがある程度カメラ操作に熟練している可能性を考慮し、フリッカーレス撮影の動作モード（フリッカーレス撮影を行うか否かの選択）はユーザが設定できるようにする。
【００１８】
２０１は簡単撮影ゾーンであり、シーンインテリジェントオートモード、ストロボ発光禁止モード、クリエイティブオートモード、ポートレートモード、風景モード、クローズアップモード、スポーツモード、夜景ポートレートモード、手持ち夜景モード、ＨＤＲ逆光補正モードが設定されている。簡単撮影ゾーン２０１に描かれたモードマークのいずれかをモード指標マーク２０２に合わせるようにモードダイアル１１７を回転させることにより、そのモードマークに対応する撮影モードが設定される
これら簡単撮影ゾーン２０１の撮影モードでは、デジタルカメラ１００が自動的に最適なシャッタースピードや絞り値等を設定する。したがって、ユーザはシャッターボタン１１６を押下するだけで、簡単に良好な撮影を行うことができる。
これらのことから、簡単撮影ゾーン２０１の撮影モードでは、ユーザがカメラ操作に熟練していない可能性を考慮し、フリッカーレス撮影の動作モードはユーザが設定することはできず、常にフリッカーレス撮影が有効となる。
【００１９】
以上説明した撮影モードとフリッカーレス撮影の動作モード設定は、モードダイアル１１７が簡単撮影ゾーン２０１に設定されているときは、ユーザがカメラ操作に熟練していない可能性を考慮し、常にフリッカーレス撮影を有効とするものである。それに対して、モードダイアル１１７が応用撮影ゾーン２００に設定されているときは、ユーザがある程度カメラ操作に熟練している可能性を考慮し、必要に応じてフリッカーレス撮影の動作モードをユーザが設定できるようにするものである。
【００２０】
図４は、撮影モードが応用撮影ゾーン２００でのフリッカーレス撮影の動作モード設定処理の流れを示すフローチャートである。
ステップＳ４０１で、システム制御部１０１は、フリッカーレス撮影の動作モードを設定するフリッカーレス撮影の動作モード設定画面を表示部１１１に表示する。図５に、表示部１１１に表示されるフリッカーレス撮影の動作モード設定画面５０１の例を示す。
ステップＳ４０２で、システム制御部１０１は、カーソルキー８０のうち上下キーが押されたか否かを判別する。上下キーが押された場合はステップＳ４０３に処理を進め、上下キーが押されなかった場合はステップＳ４０６に処理を進める。
【００２１】
ステップＳ４０３で、システム制御部１０１は、現在の設定がフリッカーレス撮影「する」であるか否かを判別する。「する」の場合はステップＳ４０４に処理を進め、動作モード設定画面５０１のフォーカス位置を「しない」に変更する。「しない」の場合はステップＳ４０５に処理を進め、動作モード設定画面５０１のフォーカス位置を「する」に変更する。
ステップＳ４０６で、システム制御部１０１は、ＳＥＴキー９０が押されたか否かを判別する。ＳＥＴキー９０が押された場合はステップＳ４０７に処理を進め、フォーカス位置の項目「する」又は「しない」をフリッカーレス撮影の動作モード設定として保存し、ＳＥＴキー９０が押されなかった場合はステップＳ４０２に戻る。
【００２２】
図６は、フリッカーを検知したときの通知処理及び撮影の流れを示すフローチャートである。また、図７に、ファインダー内表示部１２５の表示例を示す。ファインダー内表示部１２５は、フリッカーアイコン（フリッカー検知状態を通知するアイコン）７０１を表示することができる。
【００２３】
ステップＳ６０１で、システム制御部１０１は、シャッターボタン１１６が半押しか否かを判別し、半押しされるまで待機し、半押しされた場合はステップＳ６０２に処理を進める。
ステップＳ６０２で、システム制御部１０１は、フリッカー検知部１２１でフリッカーを検知したか否かを判別する。フリッカーを検知した場合はステップＳ６０３に処理を進め、フリッカーを検知しなかった場合はステップＳ６０４に処理を進める。
ステップＳ６０３で、システム制御部１０１は、撮影モードが簡単撮影ゾーン２０１であるか否かを判別する。簡単撮影ゾーン２０１である場合はステップＳ６０４に処理を進め、簡単撮影ゾーン２０１でない場合、すなわち応用撮影ゾーン２００である場合はステップＳ６０５に処理を進める。
【００２４】
ステップＳ６０５で、システム制御部１０１は、フリッカーレス撮影が設定されているか否かを判別する。フリッカーレス撮影が設定されている場合はステップＳ６０６に処理を進め、ファインダー内表示部１２５にフリッカーアイコン７０１を点灯表示する。すなわち、フリッカー環境にあり、フリッカーレス撮影が設定されている状況である。また、フリッカーレス撮影が設定されていない場合はステップＳ６０７に処理を進め、フリッカーアイコン７０１を点滅表示する。すなわち、フリッカー環境にあり、フリッカーレス撮影が設定されていない状況（フリッカーが発生するおそれがある状況）である。
【００２５】
一方、ステップＳ６０４で、システム制御部１０１は、フリッカーアイコン７０１を非表示とする。撮影モードが簡単撮影ゾーン２０１である場合、ユーザがカメラ操作に熟練していない可能性が高く、フリッカーレス撮影の設定ができない（常にフリッカーレス撮影が有効である）ことから、フリッカーアイコン７０１が表示されると、その意味を知らないユーザに不安感を与えてしまうおそれがあるからである。また、ユーザ操作によらず常にフリッカーレス撮影が有効な場合にフリッカーアイコン７０１が表示されても、ユーザは対処する必要がなく、意味のない通知となってしまうからである。
【００２６】
ステップＳ６０８で、システム制御部１０１は、シャッターボタン１１６が全押しか否かを判別する。シャッターボタン１１６の全押しの場合はステップＳ６０９に処理を進め、シャッターボタン１１６の全押しでない場合はステップＳ６０１に戻る。
ステップＳ６０９で、システム制御部１０１は、フリッカー検知部１２１でフリッカーを検知したか否かを判別する。フリッカーを検知した場合はステップＳ６１０に処理を進め、フリッカーを検知しなかった場合はステップＳ６１２に処理を進めて、通常撮影を開始する。
ステップＳ６１０で、システム制御部１０１は、フリッカーレス撮影が設定されているか否かを判別する。フリッカーレス撮影が設定されている場合はステップＳ６１１に処理を進めて、フリッカーレス撮影を開始し、フリッカーレス撮影が設定されていない場合はステップＳ６１２に処理を進めて、通常撮影を開始する。
【００２７】
なお、本実施形態では、フリッカー検知状態をファインダー内表示部１２５にアイコン表示により通知しているが、フリッカー検知状態を通知する方式は、表示部１１１でのアイコン表示であってもよいし、音を鳴らすものであってもよい。
【００２８】
なお、システム制御部１０１の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
また、上述した実施形態においては、本発明をデジタルカメラに適用した場合を例にして説明したが、これはこの例に限定されず、撮像装置として機能する機器であれば適用可能である。すなわち、本発明は、カメラ付き携帯電話端末や携帯型の画像ビューワ等に適用可能である。
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００２９】
１００：デジタルカメラ、１０１：システム制御部、１０６：撮像部、１１１：表示部、１２１：フリッカー検知部、１２５：ファインダー内表示部
【図１】
0006403473.tif 000002
【図２】
0006403473.tif 000003
【図３】
0006403473.tif 000004
【図４】
0006403473.tif 000005
【図５】
0006403473.tif 000006
【図６】
0006403473.tif 000007
【図７】
0006403473.tif 000008